(57)【要約】【課題】使用者が長時間履いても疲れにくい履物を提供する。【解決手段】履物は、甲部と、底部と、中敷き部１３とを備えている。この履物１０は、底部の踵部に、中敷き部側に開口した凹部が形成されている。また、中敷き部１３の底面には、凹部に嵌まり、使用者の体重が掛かると、使用者の足裏と凹部との間で弾性変形する凸部１３３が形成されている。そして、凸部１３３には、底部側に開口した有底の穴１３３ａが形成されている。凸部１３３には、穴１３３ａが形成されていることで、穴１３３ａ内に凸部の変形を許容する空間ができるため、凸部１３３を大きく弾性変形させることができる。従って、中敷き部１３のクッション性を向上させることができる。【選択図】図４
2017006482.tif 000002
【特許請求の範囲】
【請求項１】
甲部と、底部と、中敷き部とを備え、
前記底部の踵部に、前記中敷き部側に開口した凹部が形成され、
前記中敷き部の底面に、前記凹部に嵌まり、使用者の体重が掛かると、該使用者の足裏と前記凹部との間で弾性変形する凸部が形成され、
前記凸部には、前記底部側に開口した有底の穴が形成された履物。
【請求項２】
前記凹部の底面には、有底の穴が形成された請求項１記載の履物。
【請求項３】
前記凸部の穴と前記凹部の穴とは、穴内の空間同士が通じている請求項２記載の履物。
【請求項４】
前記凸部の穴の周縁と前記凹部の穴の周縁とは、交差している請求項２または３記載の履物。
【発明の詳細な説明】
【技術分野】
【０００１】
本発明は、足への負担を軽減することができる履物に関するものである。
【背景技術】
【０００２】
履物を長時間履いて歩いていると足が疲れる。従って、履物は、疲労し難い形状に形成されていることが望ましい。例えば、履き心地が良好な靴について、特許文献１に記載されたものが知られている。
【０００３】
特許文献１に記載の靴の製造方法は、靴底材と中敷きの後側部分との間に、ハイアーチ性やクッション性が変更（調整）された調整パッドを挟み込むことが記載されている。
調整パッドとして、使用者が最も履き心地がよいと判断したものを使用することで、使用者が立っているときでも歩いているときででも、中敷きによる土踏まずへの支持状態を安定させることにより、いずれの状態でも履き心地よくすることができる。
【０００４】
特許文献１には、店頭等における販売の段階で、店頭における販売員の中敷きに対する調整パッドの位置決めが容易となるように、中敷きの後側部分の下面側に位置決め凸部が形成される一方、調整パッドに位置決め凸部に嵌合する位置決め凹部が形成されていることが記載されている。
【先行技術文献】
【特許文献】
【０００５】
【特許文献１】特開２０１２−２３９６４９号公報
【発明の概要】
【発明が解決しようとする課題】
【０００６】
しかし、特許文献１に記載の靴の製造方法では、調整パッドにクッション性をもたせているが、靴底部材、中敷きの他、調整パッドが必要であり、部品点数が多くなっている。また、最も体重が掛かる中敷きの踵部分に、位置決め凸部が形成されて、調整パッドの位置決め凹部に嵌合するため、位置決め凸部が形成された位置を踏む使用者の踵は、調整パッドのクッション性の効果を得ることができない。
【０００７】
そこで本発明は、使用者が長時間履いても疲れにくい履物を提供することを目的とする。
【課題を解決するための手段】
【０００８】
本発明の履物は、甲部と、底部と、中敷き部とを備え、前記底部の踵部に、前記中敷き部側に開口した凹部が形成され、前記中敷き部の底面に、前記凹部に嵌まり、使用者の体重が掛かると、該使用者の足裏と前記凹部との間で弾性変形する凸部が形成され、前記凸部には、前記底部側に開口した有底の穴が形成されたことを特徴とする。
【０００９】
本発明の履物によれば、底部の踵部に、中敷き部側に開口した凹部が形成され、中敷き部の底面に凸部が形成されている。底部の凹部に、中敷き部の凸部が嵌まる。使用者の体重が掛かると、中敷き部の凸部は、使用者が履くと、使用者の足裏と凹部との間で弾性変形する。このとき、凸部の弾性変形は、底部の凹部の中で圧縮されるが、凹部の中の限られた範囲でしか変形が許容されない。従って、凸部の弾性変形が抑止される。しかし、凸部には、穴が形成されていることで、穴内にも凸部の変形を許容する空間がある。従って、凸部を大きく弾性変形させることができるので、中敷き部のクッション性を向上させることができる。
【００１０】
前記凹部の底面には、有底の穴が形成されていると、底部に更に空間ができるため、底部の軽量化を図ることができる。
【００１１】
前記凸部の穴と前記凹部の穴とは、穴内の空間同士が通じていることが望ましい。凸部が弾性変形すると、凸部の穴の内壁が膨らむ。凸部の穴の開口部が閉鎖されていると、凸部の穴内の空気が圧縮され、圧縮が高まるため、凸部の穴内への内壁の膨出を阻害する。しかし、凸部の穴の空間と凹部の穴の空間とが通じていることにより、凸部の穴内への膨出を阻害する空気を、凹部の穴内へ送り出すことができる。従って、凸部を弾性変形しやすくすることができる。
【００１２】
前記凸部の穴の周縁と前記凹部の穴の周縁とが交差していることにより、凸部および凹部の穴の周縁の交差部分に使用者の体重が集中して掛かるため、凸部をより弾性変形させやすくすることができる。
【発明の効果】
【００１３】
本発明は、凸部に穴が形成されていることで、穴内にも凸部の変形を許容する空間ができるため、凸部を大きく弾性変形させることができる。従って、中敷き部のクッション性を向上させることができるので、本発明は、使用者が長時間履いても疲れにくい履物とすることができる。
【図面の簡単な説明】
【００１４】
【図１】本発明の実施の形態に係る履物を示す斜視図である。
【図２】図１に示す履物から中敷き部を除いた状態の平面図である。
【図３】図１に示す履物の中敷き部の平面図である。
【図４】図３に示す中敷き部の底面図である。
【図５】図３に示す中敷き部の側面図である。
【発明を実施するための形態】
【００１５】
本発明の実施の形態に係る履物を図面に基づいて説明する。
図１および図２に示す履物１０は、女性用のパンプスである。この履物１０は、アッパーと称される甲部１１と、ソールと称される底部１２と、インナーソールと称される中敷き部１３とを備えている。
【００１６】
甲部１１は、爪先部１１１と側部１１２とが繋ぎ目無く一体的に形成されている。爪先部１１１には、先芯と称される補強材が内包されている。甲部１１の踵部１１３には、ヒールカウンタと称される月型芯が内包されている。
【００１７】
底部１２は、外底１２１（図１参照）と、中底１２２（図２参照）とにより形成されている。
底部１２の踵部１２３には、凹部１２４（図２参照）が形成されている。
この凹部１２４は、中敷き１３側に形成された、外底１２１のヒール部１２１ａにおける開口部を有する窪み部１２４ａと、窪み部１２４ａの開口部の形状に合わせて形成された中底１２２の貫通孔１２４ｂとによるものである。
凹部１２４は、前後方向に沿って長い矩形状に形成されている。凹部１２４（窪み部１２４ａ）の底面には、有底の穴１２４ｃが形成されている。この穴１２４ｃは、幅方向に２つ、前後方向に３列、合計６つ形成されている。
【００１８】
図３から図５に示す中敷き部１３は、図１に示す甲部１１と底部１２とによる履物本体に装着される。中敷き部１３は、使用者の指部分および足裏の前足部（踏み付け部）が位置する前部１３１と、中足部（踏まず部）および後足部（踵部）が位置する後部１３２とから形成されている。
前部１３１は、クッション性の高いスポンジ製の基材１３１ａに、フェルト製の表地１３１ｂを接着すると共に、縫製して形成されている。後部１３２は、前部１３１より弾性度が高い、ポリウレタンなどの弾性部材により形成された基材１３２ａに、光沢性を有する表地１３２ｂを接着すると共に、縫製して形成されている。後部１３２の表地１３２ｂ上の使用者の踵が位置する部分に、踵の擦れから表地１３２ｂを保護する楕円形状に形成された保護部１３２ｃが配置されている。
【００１９】
後部１３２における基材１３１ａの底面の踵部には、図２に示す底部１２の凹部１２４に嵌る凸部１３３が形成されている。凸部１３３は、輪郭形状が凹部１２４の開口部に合わせて角部が面取りされた矩形状に形成されている。また、凸部１３３には、長手方向に沿って、３つの有底の穴１３３ａが形成されている。凸部１３３は、その突出長さが底部１２の凹部１２４の深さに合わせて形成されている。
【００２０】
また、凸部１３３の穴１３３ａと、凹部１２４の穴１２４ｃとは、深さ方向に直交する断面において、ほぼ同じ直径の円形状に形成されている。
凸部１３３の穴１３３ａが３つ形成され、凹部１２４の穴１２４ｃが６つ形成されていることで、凸部１３３の穴１３３ａの開口部は、幅方向で隣接した穴１２４ｃ同士の開口部にまたがっている。従って、凸部１３３と凹部１２４との穴１３３ａ，１２４ｃは、その周縁１３３ｂ，１２４ｄ同士が交差するように位置している。このように、凸部１３３の穴１３３ａと、凹部１２４の穴１２４ｃとが配置されていることで、穴１３３ａ，１２４ｃの空間同士が通じた状態である。
【００２１】
以上のように構成された本発明の実施の形態に係る履物の使用状態を図面に基づいて説明する。
図１および図２に示す甲部１１と底部１２とが貼り合わされた履物本体に、図３から図５に示す中敷き部１３を装着する。
中敷き部１３の凸部１３３が、底部１２の凹部１２４に嵌るため、正確に中敷き部１３を履物本体内に位置させることができる。
【００２２】
使用者が履物１０を履き歩くことで、履物１０内で使用者の足が移動して、足裏が中敷き部１３を底部１２に対してずらそうとする。しかし、中敷き部１３の凸部１３３が、底部１２の凹部１２４に嵌っているため、前後方向に沿った縦ずれや、幅方向に沿った横ずれを防止することができる。
使用者が履物１０を履くと、使用者の踵が中敷き部１３の後部１３２に位置する。使用者が歩くと、使用者の踵から体重が中敷き部１３の後部１３２に勢いよく掛かる。
しかし、中敷き部１３の凸部１３３が、底部１２における凹部１２４の底面に当接することで凹部１２４内で圧縮され、弾性変形するため、凸部１３３がクッションとなって使用者の踵への負担を軽減することができる。
【００２３】
このとき、凸部１３３の弾性変形は、底部１２の凹部１２４の中で圧縮されるが、凹部１２４の中の限られた範囲でしか変形が許容されない。従って、凸部１３３の弾性変形が抑止される。しかし、凸部１３３には、穴１３３ａが形成されていることで、穴１３３ａ内にも凸部１３３の変形を許容する空間がある。従って、凸部１３３を大きく弾性変形させることができるので、中敷き部１３のクッション性を更に向上させることができる。
【００２４】
凸部１３３が弾性変形すると、凸部１３３の穴１３３ａの内壁が膨らむ。凸部の穴の開口部が閉鎖されていると、凸部の穴内の空気が圧縮され、圧縮が高まるため、凸部の穴内への内壁の膨らみを阻害する。しかし、凸部１３３の穴１３３ａの空間と凹部１２４の穴１２４ｃの空間とが通じていることにより、凸部１３３の穴１３３ａ内の空気が逃げる空間が拡がる。従って、凸部１３３の穴１３３ａ内への膨らみを阻害する空気を、凹部１２４の穴１２４ｃ内へ送り出すことができるので、凸部１３３を弾性変形しやすくすることができる。なお、凸部１３３の穴１３３ａから外部に通じる通気孔を凹部１２４の側面に設けることが考えられる。しかし、雨天の際に通気孔から水が浸入するおそれがあるため、凹部１２４の穴１２４ｃは、外部に通じていない方が望ましい。
【００２５】
図５に示す凸部１３３が、図２に示す凹部１２４の底面に押し付けられ弾性変形する。その際に、図２および図４に示すように、凸部１３３の穴１３３ａの周縁１３３ｂと、凹部１２４の穴１２４ｃの周縁１２４ｄとが交差しているため、凸部１３３および凹部１２４の穴１３３ａ，１２４ｃの周縁１３３ｂ，１２４ｄの交差部分に使用者の体重が集中して掛かる。そのため、穴１２４ｃの周縁１２４ｄが、凸部１３３の穴１３３ａの周縁１３３ｂに減り込み、凸部１３３を弾性変形させるので、凸部１３３をより弾性変形させやすくすることができる。
【００２６】
このように中敷き部１３は、使用者の踵への負担を軽減する穴１３３ａを有する凸部１３３が形成されているため、履物１０は使用者が長時間履いても疲れにくい。
また、凸部１３３に穴１３３ａが形成されていることで、中敷き部１３の軽量化を図ることができる。更に、底部１２の凹部１２４の底面に、有底の穴１２４ｃが形成されているため、底部１２の軽量化を図ることができるので、更に、使用者への負担を軽減することができる。
【００２７】
本実施の形態では、中敷き部１３の凸部１３３の突出長さが底部１２の凹部１２４の深さに合わせて形成されている。従って、甲部１１と底部１２とから成る履物本体に、中敷き部１３を装着した段階で、凸部１３３は凹部１２４の底面に接した状態である。
しかし、凸部１３３は、使用者が履く前の段階で、凸部１３３は凹部１２４の底面に接していない状態であっても、使用者が履物１０を履き、中敷き部１３に体重が掛かることで、凸部１３３が凹部１２４の底面に接して、使用者の足裏と凹部１２４との間で凸部１３３が弾性変形するようであればよい。
また、凸部１３３の穴１３３ａと、凹部１２４の穴１２４ｃは、円形状の穴としていたが、多角形状の穴としたり異形状の穴としたりすることができる。
【産業上の利用可能性】
【００２８】
本発明は、女性用のパンプスだけでなく、男性用、女性用に関わらず、革靴、ブーツ、スニーカーなど、あらゆる履物に好適である。
【符号の説明】
【００２９】
１０  履物
１１  甲部
１１１  爪先部
１１２  側部
１１３  踵部
１２  底部
１２１  外底
１２１ａ  ヒール部
１２２  中底
１２３  踵部
１２４  凹部
１２４ａ  窪み部
１２４ｂ  貫通孔
１２４ｃ  穴
１２４ｄ  周縁
１３  中敷き部
１３１  前部
１３１ａ  基材
１３１ｂ  表地
１３２  後部
１３２ａ  基材
１３２ｂ  表地
１３２ｃ  保護部
１３３  凸部
１３３ａ  穴
１３３ｂ  周縁
【図１】
2017006482.tif 000003
【図２】
2017006482.tif 000004
【図３】
2017006482.tif 000005
【図４】
2017006482.tif 000006
【図５】
2017006482.tif 000007